(57)【要約】【課題】自分専用のマイスリッパとして確保でき、他人の使用したスリッパと混同しないようにするためのスリッパ収納部付きの脱衣カゴを提供する。【解決手段】脱衣カゴＰにはスリッパ収納部１１を設ける。すなわち、この脱衣カゴＰの底壁部１、前後壁部２、３、左右壁部４、５のいずれか一部に、２個のスリッパＳを揃えて収納可能としたスリッパ収納部１１を設ける。スリッパ収納部１１は、前壁部２または後壁部３の一部を、脱衣カゴＰの開口部縁部から底壁部１側に向けて略湾曲状に窪ませることによって形成する。【選択図】図１
0003189121.tif 000002
【実用新案登録請求の範囲】
【請求項１】
脱衣カゴにスリッパ収納部を設けたことを特徴とする脱衣カゴ。
【請求項２】
脱衣カゴの底壁部、前後壁部、左右壁部のいずれか一部に、２個のスリッパを揃えて収納可能としたスリッパ収納部を設けたことを特徴とする請求項１記載の脱衣カゴ。
【請求項３】
スリッパ収納部は、前壁部または後壁部の一部を、脱衣カゴの開口部縁部から底壁部側に向けて略湾曲状に窪ませることによって形成されて成ることを特徴とする請求項１または２記載の脱衣カゴ。
【請求項４】
スリッパ収納部は、脱衣カゴの底壁部の下面側に扁平な矩形空間状に形成されて成ることを特徴とする請求項１または２記載の脱衣カゴ。
【請求項５】
スリッパ収納部は、脱衣カゴの底壁部の下面側に前後一対となるよう扁平な矩形空間状に形成されて成ることを特徴とする請求項１または２記載の脱衣カゴ。
【請求項６】
スリッパ収納部は、脱衣カゴの開口部上縁から開口部内側に向けてトレー状に形成されて成ることを特徴とする請求項１または２記載の脱衣カゴ。
【請求項７】
スリッパ収納部は、脱衣カゴの内壁に側断面略Ｌ字形の縦長袋状となって形成されて成ることを特徴とする請求項１または２記載の脱衣カゴ。
【請求項８】
スリッパ収納部の内奥部には、当該スリッパ収納部に収納されるスリッパを内奥部手前で係止させるようストッパ部を設けて成ることを特徴とする請求項１乃至７記載の脱衣カゴ。
【考案の詳細な説明】
【技術分野】
【０００１】
本考案は、温泉旅館、ホテル、ゴルフ場等の浴場で使用されるスリッパを収納可能とした脱衣カゴに関する。
【背景技術】
【０００２】
従来から、例えば温泉旅館、ホテル等で大勢の入浴客が同じ時間帯にいっぺんに入浴する際には、入浴客の履いた多数のスリッパは脱衣室内の踊り場等で乱雑に放置されるため、温泉旅館やホテル等の管理者側にとっては、そのまま放置しておくか、あるいはこれら乱雑に脱いだスリッパを適当に収納もしくは揃えておくのが精一杯であった。
【先行技術文献】
【特許文献】
【０００３】
【特許文献１】特になし
【考案の概要】
【考案が解決しようとする課題】
【０００４】
したがって、従来の温泉旅館、ホテル、ゴルフ場等の浴場においては、自分が使用したスリッパが入浴後には他人に使用されてしまうことが多い。このため、風呂上りにおいて例え２個ずつ揃えられているスリッパを履いたときでも、ぬるぬるとした違和感や不潔感等を感じてしまうことが多分にあった。かくして、客部屋から浴室に行ったり、または浴室から客部屋に戻るまでずっと自分専用のマイスリッパとして使用できるのがベストであるが、従来ではこのような対策が採られていなかった。
【０００５】
そこで、本考案は、叙上のような従来存した諸事情に鑑み創出されたもので、温泉旅館、ホテル、ゴルフ場等の浴場において自分専用のマイスリッパとして確保でき、他人の使用したスリッパと混同しないようにするために脱衣カゴに当該マイスリッパの収納スペースを取り入れることを可能としたスリッパ収納部付き脱衣カゴを提供することを目的とする。
【課題を解決するための手段】
【０００６】
上述した課題を解決するために、本考案にあっては、脱衣カゴにスリッパ収納部を設けたことを特徴とする。
【０００７】
脱衣カゴの底壁部、前後壁部、左右壁部のいずれか一部に、２個のスリッパを揃えて収納可能としたスリッパ収納部を設けたことを特徴とする。
【０００８】
スリッパ収納部は、前壁部または後壁部の一部を、脱衣カゴの開口部縁部から底壁部側に向けて略湾曲状に窪ませることによって形成されて成ることを特徴とする。
【０００９】
スリッパ収納部は、脱衣カゴの底壁部の下面側に扁平な矩形空間状に形成されて成ることを特徴とする。
【００１０】
スリッパ収納部は、脱衣カゴの底壁部の下面側に前後一対となるよう扁平な矩形空間状に形成されて成ることを特徴とする。
【００１１】
スリッパ収納部は、脱衣カゴの開口部上縁から開口部内側に向けてトレー状に形成されて成ることを特徴とする。
【００１２】
スリッパ収納部は、脱衣カゴの内壁に側断面略Ｌ字形の縦長袋状となって形成されて成ることを特徴とする。
【００１３】
スリッパ収納部の内奥部には、当該スリッパ収納部に収納されるスリッパを内奥部手前で係止させるようストッパ部を設けて成ることを特徴とする。
【考案の効果】
【００１４】
本考案によれば、脱衣カゴにスリッパ収納部を設けたので、温泉旅館、ホテル、ゴルフ場等の浴場において、自分専用のマイスリッパとして確保でき、他人の使用したスリッパと混同しないようにすることができる。また、多数のスリッパを並べ揃えておくための踊り場や多数のスリッパを収納しておくための棚等を設置することも不要となるため浴場における無駄なスペースを削減できる。さらに、多数のスリッパを整頓するために働く人手も不要となって人件費を削減することができる。
【図面の簡単な説明】
【００１５】
【図１】本考案を実施するための一形態を示すスリッパ収納部を備えた脱衣カゴの斜視図である。
【図２】同じくスリッパ収納部を備えた脱衣カゴの縦断側面図である。
【図３】同じくスリッパ収納部を備えた脱衣カゴの正面図である。
【図４】スリッパ収納部を備えた脱衣カゴの第１の変形例を示す縦断側面図である。
【図５】スリッパ収納部を備えた脱衣カゴの第２の変形例を示す縦断側面図である。
【図６】スリッパ収納部を備えた脱衣カゴの第３の変形例を示す縦断側面図である。
【図７】スリッパ収納部を備えた脱衣カゴの第４の変形例を示す縦断側面図である。
【考案を実施するための形態】
【００１６】
以下、図面を参照して本考案の実施の一形態を詳細に説明する。
【００１７】
図１、図２、図３に示すように、本実施形態における脱衣カゴＰは、温泉旅館やホテル等の浴場において、入浴客の浴衣または衣服Ｑを脱いで収納しておくために使用されるものである。
【００１８】
この脱衣カゴＰは、主としてプラスチック素材を通気性のある籐カゴ状に一体成型することによって成形される。しかしながら、プラスチック素材の帯状薄板を通気性のある籐カゴ状に編み込むことによって形成することもできる。さらに、脱衣カゴＰとして、プラスチック素材によって射出成型された上部開口の箱体に多数の通気孔を設けて成るものを採用しても良い。この通気孔の配置、形状は任意である。
【００１９】
そして、この脱衣カゴＰには後述するようにスリッパ収納部１１が設けられている。なお、以後の説明において、後述する取っ手３側を脱衣カゴＰの正面側（前側）と規定し、上下側、左右側、後側はこの正面側に準じたものとしてある。
【００２０】
詳しくは、図１、図２、図３に示すように、前記脱衣カゴＰは、入浴客の浴衣または衣服Ｑが収納可能な大きさを有するよう底壁部１、前壁部２、後壁部３、左壁部４、右壁部５から成る略矩形箱状に形成されており、当該脱衣カゴＰの前壁部２の上端外面には取っ手６を備えている。
【００２１】
また、取っ手６側の前壁部２の一部を、底壁部１、左壁部４、右壁部５をそのままの状態に残したまま、開口部縁部から底壁部１側に向けて略湾曲状（図２では側断面が横向きＳ字状）に窪ませることによって仕切部７が形成され、この仕切部７によって凹状となった前壁部２側の一部をスリッパ収納部１１としている。
【００２２】
これによって、スリッパ収納部１１は、脱衣カゴＰの左右壁部４、５の一部がスリッパ収納用壁部１２ａ、１２ｂ、脱衣カゴＰの底壁部１の一部がスリッパ収納用底部１３、前記仕切部７がスリッパ収納用内壁部１４を構成している。
【００２３】
さらに、スリッパ収納部１１の内奥側には、スリッパ収納用底部１３から起立させたストッパ部１５を設け、スリッパ収納部１１に収納されるスリッパＳをスリッパ収納用内壁部１４（仕切部７）の手前で係止されるようにしてある。
【００２４】
このようにスリッパ収納用底部１３は、スリッパＳを載せておくための棚を構成し、またスリッパ収納部１１自体は少なくとも２個のスリッパＳが一緒に並べて収納できるスペースを有している。なお、図示による説明を省略するが、上記スリッパ収納部１１を取っ手６側とは反対側の後壁部３側に形成しても良い。
【００２５】
次に、以上のように構成された形態について、前記例を除くいくつかの使用例について説明する。
浴場において、先ず、左右２個のスリッパＳを並べるようにしてスリッパ収納部１１のスリッパ収納用底部１３に載置する。なお、スリッパ収納部１１からの取出し易さの関係でスリッパＳの先端部分を手前に向けて載置しておくことが好ましい。このとき、スリッパＳの後端部分がストッパ部１５によって係止されることで、スリッパＳが奥内に不用意に入り込むのを防いでいる。そして、入浴客は浴衣または衣服Ｑを脱いで脱衣カゴＰに収納して入浴する。
【００２６】
図４には、本実施形態に係るスリッパ収納部１１の第１変形例が示されている。なお、本変形例においては上記本実施形態と同じ構成部分には同じ符号を附してその詳細な説明を省略する。この場合、脱衣カゴＰの底壁部１の下面側に高さの低い扁平な矩形空間状のスリッパ収納部１１が設けられている。
【００２７】
すなわち、本変形例におけるスリッパ収納部１１は、脱衣カゴＰの左右壁部４、５の各下端側から下方に突設したスリッパ収納用壁部２２ａ（（図４では左側のみ示し、右側は図示せず）を介して、脱衣カゴＰの底壁部１の下側に当該底壁部１と略同じ面積のスリッパ収納用底部２３が形成されて成る。この場合、スリッパ収納用底部２３の中間部分は一対のストッパ部１５によって仕切られていることで、スリッパ収納部１１の前後いずれかの方向からでもスリッパＳを収納することができる。
【００２８】
本変形例においても上記本実施形態の場合と同様な作用効果を有している。なお、脱衣カゴＰの前後左右いずれかの方向からでもスリッパＳを収納することができるようにスリッパ収納部１１を形成しても良い。
【００２９】
図５には、本実施形態に係るスリッパ収納部１１の第２変形例が示されている。なお、本変形例においては上記本実施形態と同じ構成部分には同じ符号を附してその詳細な説明を省略する。この場合、脱衣カゴＰの開口部上縁には取っ手６を設けず、また底壁部１の下面側は前後一対となって、高さの低い扁平な矩形空間状のスリッパ収納部１１ａ、１１ｂが設けられている。
【００３０】
すなわち、本変形例におけるスリッパ収納部１１ａ、１１ｂは、脱衣カゴＰの左右壁部４、５の各下端側から前後一対となって下方に突設したスリッパ収納用壁部３２ａ、３２ｂ（図５では左側のみ示し、右側は図示せず）、および前後一対の内壁部３３ａ、３３ｂを介して、脱衣カゴＰの底壁部１の下側に前後一対のスリッパ収納用底部３４ａ、３４ｂが形成されて成る。
【００３１】
この場合、前後一対の内壁部３３ａ、３３ｂが上記した本実施形態におけるストッパ部１５として機能する。したがって、スリッパ収納部１１ａ、１１ｂのいずれかからでもスリッパＳを収納することができる。本変形例においても上記本実施形態の場合と同様な作用効果を有している。なお、脱衣カゴＰの前後左右いずれかの方向からでもスリッパＳを収納することができるようにスリッパ収納部１１ａ、１１ｂを形成しても良い。
【００３２】
図６には、本実施形態に係るスリッパ収納部１１の第３変形例が示されている。なお、本変形例においては上記本実施形態と同じ構成部分には同じ符号を附してその詳細な説明を省略する。この場合、脱衣カゴＰの開口部上縁部（取っ手６側）に、底浅の矩形空間状のスリッパ収納部１１が設けられている。
【００３３】
すなわち、本変形例におけるスリッパ収納部１１は、脱衣カゴＰの前壁部２において、開口部上縁部箇所よりも若干下側位置から内側に向けてスリッパ収納用底部４３が形成され、スリッパ収納用底部４３の後端側には内壁部４６が、またスリッパ収納用底部４３の左右端からはスリッパ収納用壁部４２ａ（図５では左側のみ示し、右側は図示せず）が、開口部側に向けて垂設されることで全体略トレー状となって形成されて成る。
【００３４】
この場合、左右２個のスリッパＳを並べるようにしてスリッパ収納部１１のスリッパ収納用底部４３に載置される。また、本変形例における内壁部４６が上記した本実施形態におけるストッパ部１５として機能する。なお、本変形例においても上記本実施形態の場合と同様な作用効果を有している。
【００３５】
図７には、本実施形態に係るスリッパ収納部１１の第４変形例が示されている。なお、本変形例においては上記本実施形態と同じ構成部分には同じ符号を附してその詳細な説明を省略する。この場合、脱衣カゴＰの開口部上縁部（取っ手６側）の内面に、側断面略Ｌ字形のスリッパ収納部１１が設けられている。
【００３６】
すなわち、本変形例におけるスリッパ収納部１１は、脱衣カゴＰの前壁部２において、底壁部１よりも若干上側位置に側断面略Ｌ字形の縦長袋状となって形成されており、このスリッパ収納部１１に２個のスリッパＳを縦向きに並べて収納できるようにしてある。
【００３７】
この場合、脱衣カゴＰからスリッパＳが容易に取り出せるようにするために、スリッパＳの先端部分のみが脱衣カゴＰの内側で露出可能となるようスリッパ収納部１１の高さが設定されている。なお、本変形例においても上記本実施形態の場合と同様な作用効果を有している。
【００３８】
而して、本実施形態における脱衣カゴＰは、プラスチック素材でもって全体を略矩形箱状に形成しているが、プラスチック以外の素材を用いることもでき、その形状もこれに限られるものではなく、例えば円形あるいは楕円形等に形成してもよい。
【００３９】
また、スリッパ収納部１１等の形状、大きさもスリッパＳが２個収納可能なものであればよく、その取付箇所も脱衣カゴＰと一体のものであればその位置は問わない。
【００４０】
さらに、脱衣カゴＰ自体例えば浴衣または衣服Ｑを容れても軽量で容易に全体を手で持ち運びできるため、既述したように取っ手６は必ずしも必要なものではない。
【符号の説明】
【００４１】
Ｐ                              脱衣カゴ
Ｑ                              浴衣または衣服
Ｓ                              スリッパ
１                              底壁部
２                              前壁部
３                              後壁部
４                              左壁部
５                              右壁部
６                              取っ手
７                              仕切部
１１、１１ａ、１１ｂ            スリッパ収納部
１２ａ、１２ｂ                  スリッパ収納用壁部
１３、４３                      スリッパ収納用底部
１４                            スリッパ収納用内壁部
１５                            ストッパ部
２２ａ、３２ａ、３２ｂ、４２ａ  スリッパ収納用壁部
２３、３４ａ、３４ｂ            スリッパ収納用底部
３３ａ、３３ｂ、４６            内壁部
【図１】
0003189121.tif 000003
【図２】
0003189121.tif 000004
【図３】
0003189121.tif 000005
【図４】
0003189121.tif 000006
【図５】
0003189121.tif 000007
【図６】
0003189121.tif 000008
【図７】
0003189121.tif 000009
【手続補正書】
【提出日】平成25年12月16日(2013.12.16)
【手続補正１】
【補正対象書類名】実用新案登録請求の範囲
【補正対象項目名】全文
【補正方法】変更
【補正の内容】
【実用新案登録請求の範囲】
【請求項１】
脱衣カゴの底壁部、前後壁部、左右壁部のいずれか一部に、２個のスリッパを揃えて収納可能としたスリッパ収納部を設けたことを特徴とする脱衣カゴ。
【請求項２】
前記スリッパ収納部は、前壁部または後壁部の一部を、脱衣カゴの開口部縁部から底壁部側に向けて略湾曲状に窪ませることによって形成されて成ることを特徴とする請求項１記載の脱衣カゴ。
【請求項３】
前記スリッパ収納部は、脱衣カゴの底壁部の下面側に扁平な矩形空間状に形成されて成ることを特徴とする請求項１記載の脱衣カゴ。
【請求項４】
前記スリッパ収納部は、脱衣カゴの底壁部の下面側に前後一対となるよう扁平な矩形空間状に形成されて成ることを特徴とする請求項１記載の脱衣カゴ。
【請求項５】
前記スリッパ収納部は、脱衣カゴの開口部上縁から開口部内側に向けてトレー状に形成されて成ることを特徴とする請求項１記載の脱衣カゴ。
【請求項６】
前記スリッパ収納部は、脱衣カゴの内壁に側断面略Ｌ字形の縦長袋状となって形成されて成ることを特徴とする請求項１記載の脱衣カゴ。
【請求項７】
前記スリッパ収納部の内奥部には、当該スリッパ収納部に収納されるスリッパを内奥部手前で係止させるようストッパ部を設けて成ることを特徴とする請求項１乃至６記載の脱衣カゴ。
【手続補正２】
【補正対象書類名】明細書
【補正対象項目名】全文
【補正方法】変更
【補正の内容】
【考案の詳細な説明】
【技術分野】
【０００１】
本考案は、温泉旅館、ホテル、ゴルフ場等の浴場で使用されるスリッパを収納可能とした脱衣カゴに関する。
【背景技術】
【０００２】
従来から、例えば温泉旅館、ホテル等で大勢の入浴客が同じ時間帯にいっぺんに入浴する際には、入浴客の履いた多数のスリッパは脱衣室内の踊り場等で乱雑に放置されるため、温泉旅館やホテル等の管理者側にとっては、そのまま放置しておくか、あるいはこれら乱雑に脱いだスリッパを適当に収納もしくは揃えておくのが精一杯であった。
【先行技術文献】
【特許文献】
【０００３】
【特許文献１】特になし
【考案の概要】
【考案が解決しようとする課題】
【０００４】
したがって、従来の温泉旅館、ホテル、ゴルフ場等の浴場においては、自分が使用したスリッパが入浴後には他人に使用されてしまうことが多い。このため、風呂上りにおいて例え２個ずつ揃えられているスリッパを履いたときでも、ぬるぬるとした違和感や不潔感等を感じてしまうことが多分にあった。かくして、客部屋から浴室に行ったり、または浴室から客部屋に戻るまでずっと自分専用のマイスリッパとして使用できるのがベストであるが、従来ではこのような対策が採られていなかった。
【０００５】
そこで、本考案は、叙上のような従来存した諸事情に鑑み創出されたもので、温泉旅館、ホテル、ゴルフ場等の浴場において自分専用のマイスリッパとして確保でき、他人の使用したスリッパと混同しないようにするために脱衣カゴに当該マイスリッパの収納スペースを取り入れることを可能としたスリッパ収納部付き脱衣カゴを提供することを目的とする。
【課題を解決するための手段】
【０００６】
上述した課題を解決するために、本考案にあっては、  脱衣カゴの底壁部、前後壁部、左右壁部のいずれか一部に、２個のスリッパを揃えて収納可能としたスリッパ収納部を設けたことを特徴とする。
【０００７】
前記スリッパ収納部は、前壁部または後壁部の一部を、脱衣カゴの開口部縁部から底壁部側に向けて略湾曲状に窪ませることによって形成されて成ることを特徴とする。
【０００８】
前記スリッパ収納部は、脱衣カゴの底壁部の下面側に扁平な矩形空間状に形成されて成ることを特徴とする。
【０００９】
前記スリッパ収納部は、脱衣カゴの底壁部の下面側に前後一対となるよう扁平な矩形空間状に形成されて成ることを特徴とする。
【００１０】
前記スリッパ収納部は、脱衣カゴの開口部上縁から開口部内側に向けてトレー状に形成されて成ることを特徴とする。
【００１１】
前記スリッパ収納部は、脱衣カゴの内壁に側断面略Ｌ字形の縦長袋状となって形成されて成ることを特徴とする。
【００１２】
前記スリッパ収納部の内奥部には、当該スリッパ収納部に収納されるスリッパを内奥部手前で係止させるようストッパ部を設けて成ることを特徴とする。
【考案の効果】
【００１３】
本考案によれば、脱衣カゴにスリッパ収納部を設けたので、温泉旅館、ホテル、ゴルフ場等の浴場において、自分専用のマイスリッパとして確保でき、他人の使用したスリッパと混同しないようにすることができる。また、多数のスリッパを並べ揃えておくための踊り場や多数のスリッパを収納しておくための棚等を設置することも不要となるため浴場における無駄なスペースを削減できる。さらに、多数のスリッパを整頓するために働く人手も不要となって人件費を削減することができる。
【図面の簡単な説明】
【００１４】
【図１】本考案を実施するための一形態を示すスリッパ収納部を備えた脱衣カゴの斜視図である。
【図２】同じくスリッパ収納部を備えた脱衣カゴの縦断側面図である。
【図３】同じくスリッパ収納部を備えた脱衣カゴの正面図である。
【図４】スリッパ収納部を備えた脱衣カゴの第１の変形例を示す縦断側面図である。
【図５】スリッパ収納部を備えた脱衣カゴの第２の変形例を示す縦断側面図である。
【図６】スリッパ収納部を備えた脱衣カゴの第３の変形例を示す縦断側面図である。
【図７】スリッパ収納部を備えた脱衣カゴの第４の変形例を示す縦断側面図である。
【考案を実施するための形態】
【００１５】
以下、図面を参照して本考案の実施の一形態を詳細に説明する。
【００１６】
図１、図２、図３に示すように、本実施形態における脱衣カゴＰは、温泉旅館やホテル等の浴場において、入浴客の浴衣または衣服Ｑを脱いで収納しておくために使用されるものである。
【００１７】
この脱衣カゴＰは、主としてプラスチック素材を通気性のある籐カゴ状に一体成型することによって成形される。しかしながら、プラスチック素材の帯状薄板を通気性のある籐カゴ状に編み込むことによって形成することもできる。さらに、脱衣カゴＰとして、プラスチック素材によって射出成型された上部開口の箱体に多数の通気孔を設けて成るものを採用しても良い。この通気孔の配置、形状は任意である。
【００１８】
そして、この脱衣カゴＰには後述するようにスリッパ収納部１１が設けられている。なお、以後の説明において、後述する取っ手３側を脱衣カゴＰの正面側（前側）と規定し、上下側、左右側、後側はこの正面側に準じたものとしてある。
【００１９】
詳しくは、図１、図２、図３に示すように、前記脱衣カゴＰは、入浴客の浴衣または衣服Ｑが収納可能な大きさを有するよう底壁部１、前壁部２、後壁部３、左壁部４、右壁部５から成る略矩形箱状に形成されており、当該脱衣カゴＰの前壁部２の上端外面には取っ手６を備えている。
【００２０】
また、取っ手６側の前壁部２の一部を、底壁部１、左壁部４、右壁部５をそのままの状態に残したまま、開口部縁部から底壁部１側に向けて略湾曲状（図２では側断面が横向きＳ字状）に窪ませることによって仕切部７が形成され、この仕切部７によって凹状となった前壁部２側の一部をスリッパ収納部１１としている。
【００２１】
これによって、スリッパ収納部１１は、脱衣カゴＰの左右壁部４、５の一部がスリッパ収納用壁部１２ａ、１２ｂ、脱衣カゴＰの底壁部１の一部がスリッパ収納用底部１３、前記仕切部７がスリッパ収納用内壁部１４を構成している。
【００２２】
さらに、スリッパ収納部１１の内奥側には、スリッパ収納用底部１３から起立させたストッパ部１５を設け、スリッパ収納部１１に収納されるスリッパＳをスリッパ収納用内壁部１４（仕切部７）の手前で係止されるようにしてある。
【００２３】
このようにスリッパ収納用底部１３は、スリッパＳを載せておくための棚を構成し、またスリッパ収納部１１自体は少なくとも２個のスリッパＳが一緒に並べて収納できるスペースを有している。なお、図示による説明を省略するが、上記スリッパ収納部１１を取っ手６側とは反対側の後壁部３側に形成しても良い。
【００２４】
次に、以上のように構成された形態について、前記例を除くいくつかの使用例について説明する。
浴場において、先ず、左右２個のスリッパＳを並べるようにしてスリッパ収納部１１のスリッパ収納用底部１３に載置する。なお、スリッパ収納部１１からの取出し易さの関係でスリッパＳの先端部分を手前に向けて載置しておくことが好ましい。このとき、スリッパＳの後端部分がストッパ部１５によって係止されることで、スリッパＳが奥内に不用意に入り込むのを防いでいる。そして、入浴客は浴衣または衣服Ｑを脱いで脱衣カゴＰに収納して入浴する。
【００２５】
図４には、本実施形態に係るスリッパ収納部１１の第１変形例が示されている。なお、本変形例においては上記本実施形態と同じ構成部分には同じ符号を附してその詳細な説明を省略する。この場合、脱衣カゴＰの底壁部１の下面側に高さの低い扁平な矩形空間状のスリッパ収納部１１が設けられている。
【００２６】
すなわち、本変形例におけるスリッパ収納部１１は、脱衣カゴＰの左右壁部４、５の各下端側から下方に突設したスリッパ収納用壁部２２ａ（（図４では左側のみ示し、右側は図示せず）を介して、脱衣カゴＰの底壁部１の下側に当該底壁部１と略同じ面積のスリッパ収納用底部２３が形成されて成る。この場合、スリッパ収納用底部２３の中間部分は一対のストッパ部１５によって仕切られていることで、スリッパ収納部１１の前後いずれかの方向からでもスリッパＳを収納することができる。
【００２７】
本変形例においても上記本実施形態の場合と同様な作用効果を有している。なお、脱衣カゴＰの前後左右いずれかの方向からでもスリッパＳを収納することができるようにスリッパ収納部１１を形成しても良い。
【００２８】
図５には、本実施形態に係るスリッパ収納部１１の第２変形例が示されている。なお、本変形例においては上記本実施形態と同じ構成部分には同じ符号を附してその詳細な説明を省略する。この場合、脱衣カゴＰの開口部上縁には取っ手６を設けず、また底壁部１の下面側は前後一対となって、高さの低い扁平な矩形空間状のスリッパ収納部１１ａ、１１ｂが設けられている。
【００２９】
すなわち、本変形例におけるスリッパ収納部１１ａ、１１ｂは、脱衣カゴＰの左右壁部４、５の各下端側から前後一対となって下方に突設したスリッパ収納用壁部３２ａ、３２ｂ（図５では左側のみ示し、右側は図示せず）、および前後一対の内壁部３３ａ、３３ｂを介して、脱衣カゴＰの底壁部１の下側に前後一対のスリッパ収納用底部３４ａ、３４ｂが形成されて成る。
【００３０】
この場合、前後一対の内壁部３３ａ、３３ｂが上記した本実施形態におけるストッパ部１５として機能する。したがって、スリッパ収納部１１ａ、１１ｂのいずれかからでもスリッパＳを収納することができる。本変形例においても上記本実施形態の場合と同様な作用効果を有している。なお、脱衣カゴＰの前後左右いずれかの方向からでもスリッパＳを収納することができるようにスリッパ収納部１１ａ、１１ｂを形成しても良い。
【００３１】
図６には、本実施形態に係るスリッパ収納部１１の第３変形例が示されている。なお、本変形例においては上記本実施形態と同じ構成部分には同じ符号を附してその詳細な説明を省略する。この場合、脱衣カゴＰの開口部上縁部（取っ手６側）に、底浅の矩形空間状のスリッパ収納部１１が設けられている。
【００３２】
すなわち、本変形例におけるスリッパ収納部１１は、脱衣カゴＰの前壁部２において、開口部上縁部箇所よりも若干下側位置から内側に向けてスリッパ収納用底部４３が形成され、スリッパ収納用底部４３の後端側には内壁部４６が、またスリッパ収納用底部４３の左右端からはスリッパ収納用壁部４２ａ（図５では左側のみ示し、右側は図示せず）が、開口部側に向けて垂設されることで全体略トレー状となって形成されて成る。
【００３３】
この場合、左右２個のスリッパＳを並べるようにしてスリッパ収納部１１のスリッパ収納用底部４３に載置される。また、本変形例における内壁部４６が上記した本実施形態におけるストッパ部１５として機能する。なお、本変形例においても上記本実施形態の場合と同様な作用効果を有している。
【００３４】
図７には、本実施形態に係るスリッパ収納部１１の第４変形例が示されている。なお、本変形例においては上記本実施形態と同じ構成部分には同じ符号を附してその詳細な説明を省略する。この場合、脱衣カゴＰの開口部上縁部（取っ手６側）の内面に、側断面略Ｌ字形のスリッパ収納部１１が設けられている。
【００３５】
すなわち、本変形例におけるスリッパ収納部１１は、脱衣カゴＰの前壁部２において、底壁部１よりも若干上側位置に側断面略Ｌ字形の縦長袋状となって形成されており、このスリッパ収納部１１に２個のスリッパＳを縦向きに並べて収納できるようにしてある。
【００３６】
この場合、脱衣カゴＰからスリッパＳが容易に取り出せるようにするために、スリッパＳの先端部分のみが脱衣カゴＰの内側で露出可能となるようスリッパ収納部１１の高さが設定されている。なお、本変形例においても上記本実施形態の場合と同様な作用効果を有している。
【００３７】
而して、本実施形態における脱衣カゴＰは、プラスチック素材でもって全体を略矩形箱状に形成しているが、プラスチック以外の素材を用いることもでき、その形状もこれに限られるものではなく、例えば円形あるいは楕円形等に形成してもよい。
【００３８】
また、スリッパ収納部１１等の形状、大きさもスリッパＳが２個収納可能なものであればよく、その取付箇所も脱衣カゴＰと一体のものであればその位置は問わない。
【００３９】
さらに、脱衣カゴＰ自体例えば浴衣または衣服Ｑを容れても軽量で容易に全体を手で持ち運びできるため、既述したように取っ手６は必ずしも必要なものではない。
【符号の説明】
【００４０】
Ｐ                              脱衣カゴ
Ｑ                              浴衣または衣服
Ｓ                              スリッパ
１                              底壁部
２                              前壁部
３                              後壁部
４                              左壁部
５                              右壁部
６                              取っ手
７                              仕切部
１１、１１ａ、１１ｂ            スリッパ収納部
１２ａ、１２ｂ                  スリッパ収納用壁部
１３、４３                      スリッパ収納用底部
１４                            スリッパ収納用内壁部
１５                            ストッパ部
２２ａ、３２ａ、３２ｂ、４２ａ  スリッパ収納用壁部
２３、３４ａ、３４ｂ            スリッパ収納用底部
３３ａ、３３ｂ、４６            内壁部